【事件の表示】
　特願２００６−５００５１３「光学素子のパララックスフリーセンタリング方法」拒絶査定不服審判事件〔平成１６年　７月２９日国際公開、ＷＯ２００４／０６２８４８、平成１８年　９月　７日国内公表、特表２００６−５２０４６２〕について、次のとおり審決する。
【結　論】
　本件審判の請求は、成り立たない。
【理　由】
１．手続の経緯・拒絶の理由
（１）本願は、平成１６年１月３日を国際出願日とする特許出願（優先権主張：２００３年１月１１日、ドイツ）であって、特許請求の範囲について、平成２１年９月１８日付けで補正がなされ（「補正１」という。）、平成２２年６月２２日付けで補正がなされ（「補正２」という。）、平成２３年２月３日付けで補正がなされ（「補正３」という。）、平成２３年３月２５日付け（送達：同年同月２９日）で、補正３を決定をもって却下するとともに、同日付で拒絶査定がなされ、これに対し、同年７月２９日に拒絶査定不服審判が請求されると同時に、特許請求の範囲についての補正（以下、「本件補正」という。）がなされたものである。
　その後、平成２３年１０月１９日付け審尋書により、本件補正によってもなお、本願は原査定の拒絶の理由によって拒絶されるべきものである旨の審尋をしたところ、指定した期間を過ぎても、請求人からは何の回答もなかった。
　
（２）原査定の拒絶の理由は、本願各請求項に記載された発明は、いずれも、本願の優先日前に日本国内において頒布された刊行物である特開２００１−３５６００７号公報（発明の名称：画像認識方法、画像認識装置及び位置決め装置、出願人：セイコーエプソン株式会社、公開日：平成１３年１２月２６日、以下、「引用例」という。）に記載された発明に基づいて、当業者が容易に発明をすることができたものであるから特許を受けることができない、というものであり、また、補正２によって補正された特許請求の範囲の記載には不備があり、さらに、補正２は新規事項の追加に当たるというものである。
　また、補正３が決定をもって却下された理由は、特許請求の範囲についてした補正３が、請求項の削除、特許請求の範囲の減縮、誤記の訂正、明りょうでない記載の釈明のいずれにも該当しないというものであった。
　
２．補正の適否・本願発明
（１）補正の内容
　本件補正は、審判請求の理由によれば、原審において補正２について示された前記記載不備や、新規事項違反を解消するべくなされたものであると解されるところ、その補正内容について検討するに、本件補正は、明りょうでない記載の釈明を目的とするものであり、しかも、新規事項を追加するものでもないと認められるから、本件補正を適法なものとして受け入れ、以下、検討することとする。　
　
（２）本願発明
  以上のとおり本件補正は認められるので、本願の請求項１ないし６に係る発明は、本件補正によって補正された特許請求の範囲の請求項１ないし６に記載のとおりの、以下のものである。
「【請求項１】
　マウント装置上で半完成品のメガネレンズのセンタリングを行う方法であって、
　メガネレンズ用のレンズブランクであって、該レンズブランクは、当該レンズブランクの周縁の内側の位置にレーザ処理によるパーマネントエングレイビングを有する、そのようなレンズブランクを準備するステップと、
　前記エングレイビングの影の像を生じさせるステップと、
　前記エングレイビングの影の像を用いて前記レンズブランクのセンタリングを行うステップと、
　を備えた、方法。
【請求項２】
　前記エングレイビングの影の位置が所望の位置にきたときブロッキングを開始させる請求項１記載の方法。
【請求項３】
　マウント装置上でメガネレンズのための半完成品のレンズブランクのセンタリングを行う方法であって、
　レンズブランクに、レーザ処理によるエングレイビングを形成するステップであって、前記エングレイビングは該レンズブランクの表面における凹部を含む、そのようなエングレイビングを形成するステップと、
　前記凹部が影を形成するよう前記半完成品のレンズプランクに照明をするステップと、
　前記エングレイビングの影の像を用いて前記半完成品のレンズブランクのセンタリングを行うステップと、
　を備えた、方法。
【請求項４】
　マウント装置上でメガネレンズのための半完成品のレンズブランクのセンタリングを行う方法であって、
メガネレンズ用のレンズブランクを準備するステップであって、該レンズブランクは、当該レンズブランクの周縁の内側にレーザ処理によるパーマネントエングレイビングを有する、そのようなレンズブランクを準備するステップと、
　前記エングレイビングの影の像を撮像して出力信号を得るステップと、
　前記出力信号に基づいて、前記半完成品のレンズブランクのセンタリングを行うステップと、
　を備えた、方法。
【請求項５】
　前記エングレイビングは、凹部を有し、前記方法は、更に、前記凹部が影を形成するよう前記半完成品のレンズブランクを照明するステップを備えた、請求項４記載の方法。
【請求項６】
　センタリング装置またはマウント装置のホルダ上における、メガネレンズの半完成品である光学素子のパララックスフリーセンタリング方法であって、光学素子にはレーザ処理によるエングレイビングが施され、光学素子（１）のセンタリングが、該エングレイビング（６）の影の像を利用して行われることを特徴とする方法。」（以下、それぞれ、「本願発明１」、「本願発明２」、・・・「本願発明６」という。）　
　
３．引用例記載の事項・引用発明
（１）引用例の記載事項
　これに対して、引用例である特開２００１−３５６００７号公報には、以下の記載がある。
（ａ）「【０００１】
【発明の属する技術分野】本発明は、画像認識方法、画像認識装置及び位置決め装置に関し、特に、眼鏡レンズのような透明体表面に設けられている識別マークを画像情報として認識できる画像認識方法、この画像認識方法に用いることができる画像認識装置、及び識別マークの画像情報に基づいて透明体の位置を制御する位置決め装置に関する。
【０００２】
【従来の技術】透明体である眼鏡レンズに関して、そのレンズの品質保証のひとつとして、受注された眼鏡レンズの処方の度数を満たしているかがあげられる。この度数の測定ポイントは、眼鏡レンズ表面にある識別マークである、一般的な総称である隠しマークを基準にしてもとめられる。
【０００３】図６に示すように、眼鏡レンズ１０の成形型から転写された光学面（凸面が多い）には、成形型から転写された例えばＳ字の隠しマーク１１が設けられている。この隠しマーク１１は、眼鏡レンズの光学中心を検出するために、例えば２箇所に刻印されている。これらの２箇所の隠しマーク１１の中心点１２が、光学中心であり、受注された眼鏡レンズの処方の度数を満たしているかを測定する度数の測定ポイントである。
【０００４】眼鏡レンズの製造工程では、隠しマーク１１が設けられた外表面１３と対向する内表面１４が研磨されて所定の形状の眼鏡レンズに加工される。未加工眼鏡レンズは、研磨加工前に工作機械に取り付けるためのブロック治具に配置されるレイアウト工程が行われる。このレイアウト工程では、ブロック治具の回転中心に未加工眼鏡レンズの光学中心１２を正確に合わせ、かつ、ブロック治具に対して未加工眼鏡レンズを所定の方向に配置する。
【０００５】レイアウト工程後、未加工眼鏡レンズとブロック治具とをレイアウト工程で配置した状態を維持したまま低融点金属などで両者を接合するブロッキング工程が行われ、その後、研磨工程でブロック治具を研磨装置に装着して研磨加工が行われる。」
（ｂ）「【００３３】
【発明の実施の形態】以下、本発明の実施の形態について図面を参照しながら説明するが、本発明は以下の実施の形態に限定されるものではない。
【００３４】図１に本発明の画像認識方法の概略を示す。この画像認識方法では、特に透明体として眼鏡レンズの外表面に設けられている隠しマークを認識できるようになっている。以下、透明体が眼鏡レンズであるとして説明する。
【００３５】眼鏡レンズ１０の識別マーク１１は、図６に示したように、例えばＳ字状、○のような文字、図形、記号などの隠しマークであり、光学中心を割り出せる位置に、例えば成形型による転写、レーザーやけがきによる刻印により外表面１３に目立たないように設けられている。外表面１３は通常は凸面であるが、凹面である場合もある。
【００３６】眼鏡レンズ１０は位置合わせテーブル（保持台）２５上に外表面１３と対向する内表面１４側を下にして水平に載置される。位置合わせテーブル２５は、後述するように、位置制御装置の鉛直方向中心軸まわりに回転するθ２軸、水平方向で互いに直交するＸ−Ｙ軸、水平方向に直交するＺ軸、Ｚ軸まわりに回転するθ１軸、水平方向に対して傾斜するチルト軸での位置制御が可能な位置制御装置上に設けられている。
【００３７】画像認識装置を構成する照明装置３１とＣＣＤ（Charge Coupled Device）カメラ３２は、眼鏡レンズ１０の識別マーク１１が設けられている外表面１３側の上部に配置されており、反射方式の画像認識方法である。照明装置３１とカメラ３２の位置は、照明装置３１から外表面１３の識別マーク１１に向かって照射された照明光線（入射光線）Ｌ１が眼鏡レンズ１０の外表面１３の隠しマーク１１近傍で反射する第１反射光線Ｌ２を受ける位置にカメラ３２が配置されている。入射光線Ｌ１と第１反射光線Ｌ２とは眼鏡レンズ１０の識別マーク１１の位置の法線Ｅに対して同じ角度α１で傾斜している。
【００３８】このように、照明光線Ｌ１は眼鏡レンズ１０の法線Ｅに対して角度α１で傾斜している。眼鏡レンズ１０の隠しマーク１１は、１．５〜１．６ｍｍ角程度の大きさで、突起の高さが３〜５μｍ程度（型による転写の場合）であり、できる限り目立たないようになっている。半導体や液晶表示装置などの位置決め装置では、カメラと照明装置の照射方向とは同軸となっているのが一般的である。しかし、眼鏡レンズ１０の成形型から転写された隠しマーク１１自体は透明であり、周囲から３〜５μｍ程度突出しているだけであるので、照明光線Ｌ１をカメラ３２と同軸で照射すると、影が生じないため、隠しマーク１１を鮮明に撮像することができない。眼鏡レンズ１０外表面１３上の隠しマーク１１のような微小突起や微小凹部には、斜めから照射光線を当てた方が明瞭な反射映像が得られる。」
（ｃ）「【００４８】次に、図５を参照して本発明の位置決め装置の一実施形態について説明する。この位置決め装置１は、透明体を載置すると共に、載置した透明体を所定の位置に配置させる位置制御装置２と、画像認識装置３とを備える。
【００４９】位置制御装置２は、装置全体を支える定盤２０上に位置決め装置の鉛直方向中心軸Ｃまわりに回転するθ２軸ステージ２１が設けられている。θ２軸ステージ２１上には水平方向のＸ軸方向に移動するＸ軸ステージ、Ｘ方向と水平面で直交するＹ軸方向に移動するＹ軸ステージ、鉛直方向のＺ軸方向に昇降するＺ軸ステージが設けられ、まとめてＸＹＺ軸ステージ２２として示す。これらのＸＹＺ軸ステージ２２上には、首振りを行って水平方向に対して傾斜するチルト軸ステージ２３，チルト軸ステージ２３上に、Ｚ軸まわりに回転するθ１軸ステージ２４が設けられている。透明体１０を載置する位置合わせテーブル２５はθ１軸ステージ２４上に固定されている。
【００５０】この位置制御装置１は、通常のＸＹＺ軸と、θ１軸に加えて、θ２軸とチルト軸が加わった６軸構成となっている。これらのステージの移動は、位置制御部２７によって制御され、θ２軸ステージ２１はθ２制御信号によって、例えばθ２軸ステージ２１を駆動するステッピングモータの制御を行う。ＸＹＺ軸ステージ２２は位置制御部２７から送信されるＸＹＺ制御信号、チルト軸ステージ２３はチルト制御信号、θ１軸ステージ２４はθ１制御信号によってそれぞれ移動が制御される。
【００５１】また、画像認識装置３は、透明体１０に照明光線Ｌ１を照射する照明装置３１と、透明体１０から反射してきた反射光線Ｌ２を撮像する撮像手段としてのＣＣＤカメラ３２と、ＣＣＤカメラから送信されてくる反射映像を処理して隠しマークの位置情報を検出する画像処理部３３とを備える。ＣＣＤカメラ３２は、ほぼ鉛直方向の下向きに固定して配置されている。照明装置３１は傾斜角度が可変式となっていて、眼鏡レンズ１０の曲率に応じて照明光線の傾斜角度を変えることができるようになっている。また、照明装置３１の照明光線Ｌ１は、眼鏡レンズ１０の外表面の隠しマークにおける法線Ｅに対して傾斜する角度で眼鏡レンズ１０に入射するようになっている。
【００５２】眼鏡レンズ１０の内表面は、上述した反射防止処理が施されている。眼鏡レンズ１０は、位置合わせテーブル２５上に、照明装置３１の照射領域に識別マーク１１が存在するように載置される。
【００５３】ＣＣＤカメラ３２は、照明装置３１の眼鏡レンズ１０表面からの反射光を撮像し、その画像信号を画像処理部３３に送信する。画像処理部３３では撮像された隠しマークの位置情報を検出し、その位置情報を位置制御部２７に送信するようになっている。
【００５４】画像処理部３３では、隠しマーク１１を含む眼鏡レンズ１０の反射光線の撮像データと、予め測定されている隠しマーク１１が設けられていない眼鏡レンズの反射光線の撮像データとを比較する。これにより、隠しマーク１１の撮像データが求められる。次に、例えば隠しマークの撮像データの重心位置を求める。この重心位置が隠しマークの位置情報となる。
【００５５】一方の隠しマークの位置情報を得た後、画像処理部３３はその旨を位置制御部２７に送信する。位置制御部２７は、θ１軸ステージ２４を１８０度回転させる。これにより、他方の隠しマークが照明装置３１の照射領域に移動することになる。そして、同様に照明装置３１で照射して他方の隠しマークの位置情報を得る。
【００５６】画像処理部３３は、これらの２つの隠しマークの位置情報から、位置制御装置２の上に載置されている眼鏡レンズ１０の隠しマークの中心点（光学中心）の位置情報、レンズの水平・垂直方向と予め決められている基準方向との相対角度θを演算し、位置制御部２７にこのデータを送信する。
【００５７】位置制御部２７では、処方により予め入力されているプリズム角度に基づいてチルト軸ステージ２３を制御してプリズム角度に相当する角度に水平面より傾斜させ、位置情報に基づいてＸステージとＹステージとを制御して、光学中心を予め決められている基準位置（θ２回転の中心軸、即ち位置制御装置の中心軸Ｃ）に配置させ、更に相対角度θの情報に基づいて相対角度θだけθ２軸ステージ２１を回転させて、眼鏡レンズ１０を所定の位置に所定の向きで配置する。あるいは、前記基準位置から所定量オフセットした位置に配置する場合もある。
【００５８】本発明の位置決め装置１は、隠しマークの鮮明な反射映像を得ることができるため、精度の高い識別マークの位置情報を得ることができる。その結果、精度良く所定の位置に眼鏡レンズを位置合わせをすることができる。また、従来、熟練者によってなされていたレイアウト工程の個人差によるバラツキが無くなる。更に、研磨工程の自動化が可能となる。」
　
（２）引用発明
　上記記載事項（ａ）ないし（ｃ）、及び図１ないし図７の記載内容を総合すれば、引用例には、次の発明が記載されていると認められる。
「位置制御装置２上で未加工眼鏡レンズ１０の光学中心１２を該位置制御装置２の中心軸Ｃに配置させる方法であって、
　該未加工眼鏡レンズ１０に対し、その光学中心１２を割り出せる位置にレーザー照射によって形成された刻印から成る識別マーク１１を設け、
　該未加工眼鏡レンズ１０を前記位置制御装置２の保持台２５に載置し、
　該未加工眼鏡レンズ１０の法線Ｅに対して角度α１で入射光線Ｌ１を照射し、該法線Ｅを挟んで反対側の角度α１で反射する第１反射光線Ｌ２をＣＣＤカメラ３２で撮像し、
　当該画像信号を画像処理部３３に送信して前記識別マーク１１の位置情報を求め、該位置情報に基づいて、前記位置制御装置２の位置制御部２７がＸステージとＹステージとを制御して、前記未加工眼鏡レンズ１０の光学中心１２を該位置制御装置２の中心軸Ｃに配置させる方法。」（以下、「引用発明」という。）
　
４．対比・判断
（１）本願発明１
　本願発明１と引用発明とを、主たる構成要件について対比する。
ア　引用発明における「位置制御装置２」は、本願発明１における「マウント装置」に相当する。
　同様に、引用発明における「未加工眼鏡レンズ１０」は、本願発明１における「半完成品のメガネレンズ」や「メガネレンズ用のレンズブランク」に相当し、以下、同様に、「光学中心１２を該位置制御装置２の中心軸Ｃに配置させる」は「センタリングを行う」に、引用発明における「光学中心１２を割り出せる位置」は「レンズブランクの周縁の内側の位置」に、「刻印から成る識別マーク１１」は「パーマネントエングレイビング」に、それぞれ相当する。
　
イ　次に、刻印から成る識別マーク１１（本願発明１における「パーマネントエングレイビング」に相当する。）の検出手法について、検討する。
　引用発明は、該識別マーク１１の位置を求める手法に関して、「該未加工眼鏡レンズ１０の法線Ｅに対して角度α１で入射光線Ｌ１を照射し、該法線Ｅを挟んで反対側の角度α１で反射する第１反射光線Ｌ２をＣＣＤカメラ３２で撮像し、当該画像信号を画像処理部３３に送信して前記識別マーク１１の位置情報を求め、」とあるように、未加工眼鏡レンズ１０の法線Ｅに対して角度α１だけ傾けて入射光を照射し、ＣＣＤカメラ３２も角度α１だけ傾けてその反射光を撮像しているところ、この点について、引用例には次の記載がある。
「【００３８】このように、照明光線Ｌ１は眼鏡レンズ１０の法線Ｅに対して角度α１で傾斜している。眼鏡レンズ１０の隠しマーク１１は、１．５〜１．６ｍｍ角程度の大きさで、突起の高さが３〜５μｍ程度（型による転写の場合）であり、できる限り目立たないようになっている。半導体や液晶表示装置などの位置決め装置では、カメラと照明装置の照射方向とは同軸となっているのが一般的である。しかし、眼鏡レンズ１０の成形型から転写された隠しマーク１１自体は透明であり、周囲から３〜５μｍ程度突出しているだけであるので、照明光線Ｌ１をカメラ３２と同軸で照射すると、影が生じないため、隠しマーク１１を鮮明に撮像することができない。眼鏡レンズ１０外表面１３上の隠しマーク１１のような微小突起や微小凹部には、斜めから照射光線を当てた方が明瞭な反射映像が得られる。」（３．（１）（ｂ））
　上記記載によれば、型による転写で設けた隠しマーク１１（当審注：識別マーク１１と同義である。）の場合、その突起の高さは３〜５μｍ程度であることから、照明光線Ｌ１をカメラ３２と同軸で照射すると影が生じないため、識別マーク１１を鮮明に撮像することができず、よって、斜めから照射光線を当てることで突起による影が生じ、明瞭な反射映像が得られるものであることが読み取れる。　
　ところで、ここでは、隠しマーク１１が型による転写によって設けられた場合（この場合は微小な突起が形成される。）について説明しているが、上記記載の後段には、「・・・眼鏡レンズ１０外表面１３上の隠しマーク１１のような微小突起や微小凹部には、斜めから照射光線を当てた方が明瞭な反射映像が得られる。」との説明もなされており、この記載に関連して、引用例の「【００３５】・・・例えば成形型による転写、レーザーやけがきによる刻印により外表面１３に目立たないように設けられている。」（３．（１）（ｂ））との記載を併せて見ると、型による転写によって形成される微小突起の場合と同様、レーザー照射やけがきによって形成された微小凹部についても、斜めから照射光線を当てることで、上記「影」の効果を奏すると解するのが自然である。
　してみると、引用発明における「該未加工眼鏡レンズ１０の法線Ｅに対して角度α１で入射光線Ｌ１を照射し、該法線Ｅを挟んで反対側の角度α１で反射する第１反射光線Ｌ２をＣＣＤカメラ３２で撮像」することは、本願発明１における「前記エングレイビングの影の像を生じさせるステップ」に外ならない。
　同様に、引用発明における「当該画像信号を画像処理部３３に送信して前記識別マーク１１の位置情報を求め、該位置情報に基づいて、前記位置制御装置２の位置制御部２７がＸステージとＹステージとを制御して、前記未加工眼鏡レンズ１０の光学中心１２を該位置制御装置２の中心軸Ｃに配置させる」ことは、本願発明１における「前記エングレイビングの影の像を用いて前記レンズブランクのセンタリングを行う」ことに外ならない。
　
ウ　してみると、両者に実質的な相違点はなく、また、本願発明１の作用効果も、引用発明から当業者が予測可能なものであって格別のものでもない。
　
（２）本願発明３
　引用発明における「刻印から成る識別マーク１１」は、微小凹部から成る識別マークのことである（前記（１）イ）から、本願発明３における「凹部を含む、そのようなエングレイビング」に相当するといえる。
　してみると、上記本願発明１についての説示と同様に、本願発明３も引用発明と実質的に異なるところはなく、また、本願発明３の作用効果も、引用発明から当業者が予測可能なものであって格別のものでもない。
　
（３）本願発明４
　引用発明における「該未加工眼鏡レンズ１０の法線Ｅに対して角度α１で入射光線Ｌ１を照射し、該法線Ｅを挟んで反対側の角度α１で反射する第１反射光線Ｌ２をＣＣＤカメラ３２で撮像し、当該画像信号を画像処理部３３に送信して前記識別マーク１１の位置情報を求め、」ることは、前記「（１）イ」でした「影」についての説示（（１）イ）を踏まえると、本願発明４における「エングレイビングの影の像を撮像して出力信号を得るステップ」に相当するといえる。
　してみると、上記本願発明１についての説示と同様に、本願発明４も引用発明と実質的に異なるところはなく、また、本願発明４の作用効果も、引用発明から当業者が予測可能なものであって格別のものでもない。　
　
（４）本願発明６
　本願発明６には、「パララックスフリーセンタリング方法」とあるが、このうち、パララックスフリーとは視差のないという程度の意味であるから、してみると、本願発明６における「パララックスフリーセンタリング方法」は、引用発明における「光学中心１２を該位置制御装置２の中心軸Ｃに配置させる方法」に相当するといえる。
　してみると、上記本願発明１についての説示と同様に、本願発明６も引用発明と実質的に異なるところはなく、また、本願発明６の作用効果も、引用発明から当業者が予測可能なものであって格別のものでもない。
　
５．むすび
　以上のとおり、本願発明１、本願発明３、本願発明４、及び本願発明６は、いずれも、引用発明に基づいて当業者が容易に発明をすることができたものであるから、特許法第２９条第２項の規定により特許を受けることができない。
　したがって、請求項２，５に係る発明について審理するまでもなく、本願は拒絶すべきものである。
　よって、結論のとおり審決する。